(57)【要約】【課題】容易に記録媒体を搬送機構にセットできる情報処理装置を提供する。【解決手段】情報処理装置は、情報を表示する表示装置と、情報を入力する入力装置と、記録媒体を導く搬送路と、記録媒体に画像を形成する画像形成部と、記録媒体を把持する複数のトラクタと、搬送路及び画像形成部を内部に格納する本体部と、支点を本体部に、作用点をトラクタに、力点を本体部の外部に有し、回動することによってトラクタを本体部の背面方向に変位させるレバーと、を備える。【選択図】図４
2014168863.tif 000002
【特許請求の範囲】
【請求項１】
情報を表示する表示装置と、
情報を入力する入力装置と、
記録媒体を導く搬送路と、
前記記録媒体に画像を形成する画像形成部と、
前記記録媒体を把持する複数のトラクタと、
前記搬送路及び前記画像形成部を内部に格納する本体部と、
支点を前記本体部に、作用点を前記トラクタに、力点を前記本体部の外部に有し、回動することによって前記トラクタを前記本体部の背面方向に変位させるレバーと、
を備える情報処理装置。
【請求項２】
前記本体部に設けられ、前記レバーの開方向の回動を規制する第１のストッパと、
前記本体部に設けられ、前記レバーの閉方向の回動を規制する第２のストッパと、
をさらに備える請求項１記載の情報処理装置。
【請求項３】
前記レバーの前記支点から前記作用点を結ぶ直線と前記本体部への係止点から前記トラクタへの係止点を結ぶ直線が平行になるように設置される補助リンクをさらに備える請求項２記載の情報処理装置。
【請求項４】
前記複数のトラクタと、
駆動部によって駆動される駆動軸と、
前記複数のトラクタを連結する連結軸と、
を備える搬送機構を備え、
前記レバーは、
回動されることによって前記搬送機構を前記本体部の背面方向に変位させる請求項３記載の情報処理装置。
【請求項５】
前記駆動部は、
前記搬送機構に係止され、
前記レバーは、
回動されることによって前記搬送機構を前記駆動部とともに前記本体部の背面方向に変位させる請求項４記載の情報処理装置。
【発明の詳細な説明】
【技術分野】
【０００１】
本発明の実施形態は、情報処理装置に関する。
【背景技術】
【０００２】
情報処理装置、中でも帳票の作成及び出力に特化した、いわゆる事務用コンピュータは、入力装置であるキーボードと、表示装置であるディスプレイと、画像を形成する画像形成部及び記録媒体の搬送機構を備える本体部と、を有する。
【０００３】
この事務用コンピュータは、連続帳票となった記録媒体を本体部の背面側から導き入れ、本体内部にてこの記録媒体に画像形成した後、本体部上面から記録媒体を排出する。
【０００４】
従って、連続帳票がなくなった場合、新たに連続帳票をセットするには、背面側に立ち回って連続帳票を搬送機構にする必要がある。
【０００５】
しかし、多くの場合事務用コンピュータは壁側に設置されているため、背面側に立ち回ることができない。従って、作業者は事務用コンピュータを手前側にずらすなどして、上側から記録媒体を搬送機構にセットしなければならず、作業がしにくいという問題点があった。
【先行技術文献】
【特許文献】
【０００６】
【特許文献１】特開２０１２−５１２５９号公報
【発明の概要】
【発明が解決しようとする課題】
【０００７】
従って、容易に記録媒体を搬送機構にセットできる情報処理装置が求められている。
【課題を解決するための手段】
【０００８】
上記の課題を解決するために、本発明の一実施形態は、情報を表示する表示装置と、情報を入力する入力装置と、記録媒体を導く搬送路と、記録媒体に画像を形成する画像形成部と、記録媒体を把持する複数のトラクタと、搬送路及び画像形成部を内部に格納する本体部と、支点を本体部に、作用点をトラクタに、力点を本体部の外部に有し、回動することによってトラクタを本体部の背面方向に変位させるレバーと、を備える情報処理装置を提供する。
【図面の簡単な説明】
【０００９】
【図１】情報処理装置の外観斜視図である。
【図２】情報処理装置の構成を示す側面図である。
【図３】情報処理装置の構成を示すブロック図である。
【図４】情報処理装置の搬送機構付近の断面図である。
【図５】情報処理装置の搬送機構付近の断面図である。
【図６】情報処理装置の搬送機構付近の断面図である。
【発明を実施するための形態】
【００１０】
以下、情報処理装置の一実施形態について、図面を用いて詳細に説明する。
【００１１】
本実施形態の情報処理装置は、情報を表示する表示装置と、情報を入力する入力装置と、記録媒体を導く搬送路と、記録媒体に画像を形成する画像形成部と、記録媒体を把持する複数のトラクタと、搬送路及び画像形成部を内部に格納する本体部と、支点を本体部に、作用点をトラクタに、力点を本体部の外部に有し、回動することによってトラクタを本体部の背面方向に変位させるレバーと、を備える。
【００１２】
図１は、本実施形態の情報処理装置１の外観斜視図である。図２は、情報処理装置１の構成を示す側面図である。図１及び図２に示すように、情報処理装置１は、表示装置であるディスプレイ１１と、入力装置であるキーボード１２と、本体部１３と、を備える。
【００１３】
情報処理装置１は、本体部１３に、入力装置から入力される情報を処理し、表示装置に情報を表示し、記録媒体に形成する画像情報を生成する制御部１４と、記録媒体を搬送する搬送機構２０と、記録媒体を導く搬送路１６と、記録媒体に画像を形成する画像形成部１５と、を備える。
【００１４】
搬送機構２０は、記録媒体を把持して画像形成部１５に搬送する複数のトラクタ２１と、トラクタ２１を駆動するモータである駆動部２６と、駆動部２６によって駆動される駆動軸２８と、複数のトラクタ２１を連結する連結軸２７と、を備える。
【００１５】
駆動部２６が回転すると、駆動軸２８が回転する。駆動軸２８には複数の突起を有するベルトが掛け回されている。記録媒体は、記録媒体が有する孔がこの突起に挿通される。駆動軸２８は他のトラクタ２１にも連結されており、複数のトラクタ２１の全てのベルトは同期して回転する。従って、このベルトの回転により記録媒体が搬送される。
【００１６】
画像形成部１５は、例えばドットマトリックスプリンタの場合はプリンタヘッドを含む。
【００１７】
情報処理装置１は、矢印Ｐに示すように記録媒体を本体部１３の背面側から導き入れ、トラクタ２１を経由して搬送路を通し、画像形成部１５に送る。
【００１８】
画像形成部１５は、往復移動しながら記録媒体に画像を形成する。一行の画像の形成が終了すると、情報処理装置１は駆動部２６を駆動させて記録媒体を所定の長さだけ移動させる。
【００１９】
情報処理装置１は、画像形成が終了した記録媒体の部分を本体部１３の上面から排出する。
【００２０】
図３は、情報処理装置１の構成を示すブロック図である。図３に示すように、情報処理装置１は、演算装置であるＣＰＵ（Ｃｅｎｔｒａｌ  Ｐｒｏｃｅｓｓｉｎｇ  Ｕｎｉｔ）を含む制御部１４と、ディスプレイ等の表示部１１と、キーボード等の入力部１２と、ＲＯＭ（Ｒｅａｄ  Ｏｌｎｙ  ｍｅｍｏｒｙ）、ＲＡＭ（Ｒａｎｄｏｍ  Ａｃｃｅｓｓ  Ｍｅｍｏｒｙ）などのメモリ３１と、ハードディスクドライブなどの記憶装置３２と、画像形成部１５と、駆動部２６と、を備える。
【００２１】
図４乃至図６は、情報処理装置１の搬送機構２０付近の断面図である。図４乃至図６に示すように、情報処理装置１は搬送機構２０に、記録媒体を把持するトラクタ２１と、支点２２Ａを本体部１３に、作用点２２Ｂをトラクタ２１に、力点２２Ｃを本体部１３の外部に有するレバー２２と、レバー２２の支点２２Ａから作用点２２Ｂを結ぶ直線と本体部１３への係止点２３Ａからトラクタ２１への係止点２３Ｂを結ぶ直線が平行になるように設置される補助リンク２３と、本体部１３に設けられ、レバー２２の開方向の回動を規制する第１のストッパ２４と、本体部１３に設けられ、レバー２２の閉方向の回動を規制する第２のストッパ２５と、を備える。
【００２２】
レバー２２は、支点２２Ａを中心に回動可能に本体部１３に取り付けられる。レバー２２は作用点２２Ｂにおいて屈曲していてもよい。
【００２３】
補助リンク２３は、トラクタ２１を平行に保つための機構である。従って、他にトラクタ２１を平行に保つための機構が設置される場合には、補助リンク２３は省略できる。
【００２４】
図４はレバー２２を閉じた状態を、図５はレバー２２を途中まで開いた状態を、図６はレバー２２を開ききった状態を示す。
【００２５】
情報処理装置１は、記録媒体への画像形成をレバー２２が閉じた状態にて行う。
【００２６】
レバー２２を開くと、作用点２２Ｂに背面方向への力が加わり、トラクタ２１は背面から露出するように変位する。
【００２７】
オペレータは記録媒体を新たにセットする場合、レバー２２を開ききって行う。レバー２２は第１のストッパ２４によって開方向の回動が規制され、ある角度以上開かなくなる。レバー２２を開ききると、トラクタ２１が露出し、容易に記録媒体をセットすることが可能となる。
【００２８】
記録媒体をセットし終わった場合、オペレータはレバー２２を閉じる。レバー２２は第２のストッパ２５により閉方向の回動が規制され、ある角度以上閉じなくなる。
【００２９】
図４乃至図６には、レバー２２によってトラクタ２１が変位することを示したが、搬送機構２０全体が変位するように構成することもできる。この場合、駆動部２６を搬送機構２０に係止することにより、駆動部２６も変位するように構成することも可能である。
【００３０】
以上述べたように、本実施形態の情報処理装置１は、情報を表示する表示装置と、情報を入力する入力装置と、記録媒体を導く搬送路１６と、記録媒体に画像を形成する画像形成部１５と、記録媒体を把持するトラクタ２１と、支点２２Ａを本体部１３に、作用点２２Ｂをトラクタ２１に、力点２２Ｃを本体部１３の外部に有し、回動することによってトラクタを本体部１３の背面方向に変位させるレバー２２と、を備える。
【００３１】
従って、容易に記録媒体を搬送機構にセットできるという効果がある。
【００３２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
２２：レバー
２２Ａ：支点
２２Ｂ：作用点
２２Ｃ：力点
２３：補助リンク
２４：第１のストッパ
２５：第２のストッパ
【図１】
2014168863.tif 000003
【図２】
2014168863.tif 000004
【図３】
2014168863.tif 000005
【図４】
2014168863.tif 000006
【図５】
2014168863.tif 000007
【図６】
2014168863.tif 000008